(57)【要約】本発明のロールタイプのトイレットペーパーホルダー１００は、トイレットペーパーを堅固に装着するための装着体１１０と、装着体１１０の回転を阻止するための回転阻止体１３０と、装着体１１０を回転可能に支持し、回転阻止体１３０を固定して支持するための支持棒１５０と、支持棒１５０を固定して設置するための取付板１７０とを有する。
2010516378.tif 000002
【特許請求の範囲】
【請求項１】
ロールタイプのトイレットペーパーを堅固に装着するための装着体と；
前記装着体の回転を阻止するための回転阻止体と；
前記装着体を回転可能に支持し、前記回転阻止体を固定して支持するための支持棒と；及び
前記支持棒を固定して設置するための取付板とを有することを特徴とするロールタイプのトイレットペーパーホルダー。
【請求項２】
ロールタイプのトイレットペーパーを堅固に装着するための装着体と；
前記装着体の回転を阻止するための回転阻止体と；
前記装着体を回転可能に支持するための支持棒と；及び
前記回転阻止体を固定して設置し、前記支持棒を分離可能に設置するための取付板と、を有することを特徴とするロールタイプのトイレットペーパーホルダー。
【請求項３】
前記支持棒は、長手方向に伸縮可能に弾性結合される第１支持棒と第２支持棒を含み、前記第１支持棒の自由端側面と前記第２支持棒の自由端側面には、それぞれ前記回転阻止体と前記取付板に設けられた挿入溝に挿入される挿入突起が形成されていることを特徴とする請求項２に記載のロールタイプのトイレットペーパーホルダー。
【請求項４】
前記装着体は、分離可能に結合される第１装着体および第２装着体を含むことを特徴とする請求項１又は請求項２に記載のロールタイプのトイレットペーパーホルダー。
【請求項５】
前記第１装着体は、前記ロールタイプのトイレットペーパーの内紙の一側面を支持する第１内紙支持部と、前記内紙に余裕をもって挿入される第１内紙挿入部を有し、前記第２装着体は、前記ロールタイプのトイレットペーパーの内紙の他側面を支持する第２内紙支持部と前記内紙に余裕をもって挿入される第２内紙挿入部を有することを特徴とする請求項４に記載のロールタイプのトイレットペーパーホルダー。
【請求項６】
前記第１内紙挿入部は、内周面に第１ねじ山が形成され、前記第２内紙挿入部は、外周面に前記第１ねじ山と対応する第２ねじ山が形成されており、前記第１および第２ねじ山の結合により前記第１および第２装着体が結合されることを特徴とする請求項５に記載のロールタイプのトイレットペーパーホルダー。
【請求項７】
前記第１および第２内紙挿入部は、前記第１および第２内紙支持部と接する部分が、前記第１および第２内紙挿入部側に傾斜するように形成されることを特徴とする請求項５に記載のロールタイプのトイレットペーパーホルダー。
【請求項８】
前記装着体および前記回転阻止体において、互いに対向する面に互いに対応する係止突起を形成することを特徴とする請求項１又は請求項２に記載のロールタイプのトイレットペーパーホルダー。
【請求項９】
前記係止突起は、直三角形状に形成される特徴とする請求項８に記載のロールタイプのトイレットペーパーホルダー。
【請求項１０】
前記支持棒は、Ｕ字状に折曲されており、前記取付板に固定される前記折曲された一側は比較的に長く、前記装着体が挿入される他側は比較的に短いことを特徴とする請求項１に記載のロールタイプのトイレットペーパーホルダー。
【請求項１１】
前記支持棒は、前記装着体を支持する部分が、他の部分よりも大きな直径を有することを特徴とする請求項１０に記載のロールタイプのトイレットペーパーホルダー。
【請求項１２】
前記装着体において、一側面に複数の係止突起が縁に沿って所定の間隔を置いて形成され、前記回転阻止体において、前記複数の係止突起が引っかかる少なくとも１つの係止顎が突出して形成されていることを特徴とする請求項１又は請求項２に記載のロールタイプのトイレットペーパーホルダー。
【発明の詳細な説明】
【技術分野】
【０００１】
本発明は、トイレットペーパーホルダーに関するもので、より詳細には、ロールタイプのトイレットペーパーを片手で簡単に切断することができるロールタイプのトイレットペーパーホルダーに関する。
【背景技術】
【０００２】
ロールタイプのトイレットペーパーは、トイレットなどで良く使われるもので、一般に使用者が簡便に使用できるようにホルダーに装着して使用している。トイレットペーパーホルダーは、壁に固定するか、移動可能に構成されており、必要な分量だけトイレットペーパーを引き出した後、片方の手でトイレットペーパーを押さえ、もう一方の手で切りたい部分のトイレットペーパーを勢いよく引っ張り出してトイレットペーパーを切断して使用する。
【０００３】
このようなトイレットペーパーホルダーは、両手を使って使用するのが一般的であり、片手しか使用できない使用者には不便なものだった。このような不便さを解決するために片手で切断することができるトイレットペーパーホルダーが登場した。韓国登録実用新案第２０−０３７２０１２号の「ロールタイプのトイレットペーパーホルダー」がその代表的な例である。
【０００４】
図９及び図１０に示すように、韓国登録実用新案第２０−０３７２０１２号によれば、壁に固定するために取り付けられるブラケット固定板４に“Ｌ字状”の支持棒６がねじ締結され、上部カバー８が回動可能に締結されている。支持棒６にはロールタイプのトイレットペーパーがセットされ、上部カバー８は、ロールタイプのトイレットペーパーの上部をカバーするようになる。
【０００５】
上部カバー８に形成された切開部１８には、トイレットペーパーを案内する案内ローラ１０が軸棒２２により回転可能に設置されており、軸棒２２の両端にはブレード２４を有するカッター１２が分離可能に設けられている。
【０００６】
支持棒６にセットされたロールタイプのトイレットペーパー１４は、上部カバー８とブレード２４との間に案内され、トイレットペーパー１４をブレード２４に当てて引き出すと、必要な分量のトイレットペーパー１４を切り取ることができる。
【０００７】
しかし、上記のような構成を有する従来技術のトイレットペーパーホルダーは、その構成が複雑で製造が難しく、また、トイレットペーパーを装着することも容易ではなく、実用性が低いという問題点があった。
【０００８】
また、ブレードが鋭いので、使用時に注意を払わないと指先などに怪我をする恐れがあった。
【先行技術文献】
【特許文献】
【０００９】
【特許文献１】韓国登録実用新案第２０−０３７２０１２号公報
【発明の概要】
【発明が解決しようとする課題】
【００１０】
そこで、本発明は上記従来の問題点に鑑みてなされたものであって、本発明の目的は、片手でも切り取りやすく、構成が簡単で製造が容易であり、かつトイレットペーパーの装着も簡単なトイレットペーパーホルダーを提供することである。
【００１１】
また、本発明は、トイレットペーパーを切り取るための鋭いブレードを使用しないので、トイレットペーパーを切り取る際に注意を払わなくても指先などに怪我をする恐れのないトイレットペーパーホルダーを提供することをその目的とする。
【課題を解決するための手段】
【００１２】
上記目的を達成するために本発明は、トイレットペーパーが装着される装着体と、装着体の回転を阻止する回転阻止体に互いに対応する係止手段を設けることで、装着体が回転阻止体により選択的に回転が阻止されるようにする。
【発明の効果】
【００１３】
本発明のトイレットペーパーホルダーによれば、構成が簡単で製造が容易となり低コスト化が図れる。また、トイレットペーパーの交換が簡単で、トイレットペーパーの交換するための手間を低減することができる。
【００１４】
また、鋭いブレードを使用せずにトイレットペーパーを切り取ることができるので、トイレットペーパーを切り取るときに注意を払わなくても指先などに怪我をする恐れがない。
という効果がある。
【図面の簡単な説明】
【００１５】
【図１】本発明の好適な第１実施例によるトイレットペーパーホルダーの概略的な斜視図。
【図２】図１のトイレットペーパーホルダーの要部の概略的な断面図。
【図３】図１のトイレットペーパーホルダーの要部の概略的な断面図。
【図４】本発明の好適な第２実施例によるトイレットペーパーホルダーの概略的な斜視図。
【図５】図４の支持棒の概略的な断面図。
【図６】本発明の好適な第３実施例によるトイレットペーパーホルダーの概略的な斜視図。
【図７】図１のトイレットペーパーホルダーの作動状態を示す概略図。
【図８】図１のトイレットペーパーホルダーの作動状態を示す概略図。
【図９】従来技術のトイレットペーパーホルダーを示す概略的な斜視図。
【図１０】図９の概略的な分解斜視図。
【発明を実施するための形態】
【００１６】
本発明の第１実施例によれば、ロールタイプのトイレットペーパーを堅固に装着するための装着体と、装着体の回転を阻止するための回転阻止体と、装着体を回転可能に支持し、回転阻止体を固定して支持するための支持棒と、支持棒を固定して取り付けるための取付板とを有することを特徴とするロールタイプのトイレットペーパーホルダーを提供する。
【００１７】
本発明の第２実施例によれば、ロールタイプのトイレットペーパーを堅固に装着するための装着体と、装着体の回転を阻止するための回転阻止体と、装着体を回転可能に支持するための支持棒と、回転阻止体を固定して設置し、支持棒を分離可能に設置するための取付板とを有することを特徴とするロールタイプのトイレットペーパーホルダーを提供する。
【００１８】
第２実施例において、支持棒は、長手方向に伸縮可能に弾性結合される第１支持棒と第２支持棒を有し、第１支持棒の自由端側面と第２支持棒の自由端側面には、それぞれ回転阻止体と取付板に設けられた挿入溝に挿入される挿入突起が形成されていることを特徴とする。
【００１９】
第１および第２実施例において、装着体は分離可能に結合される第１装着体および第２装着体を含むことを特徴とする。
【００２０】
ここで、第１装着体は、ロールタイプのトイレットペーパーの内紙（interior hard paper）の一側面を支持する第１内紙支持部と、内紙に余裕をもって挿入される第１内紙挿入部を有し、第２装着体は、ロールタイプのトイレットペーパーの内紙の他側面を支持する第２内紙支持部と、内紙に余裕をもって挿入される第２内紙挿入部を有することを特徴とする。ここで、第１内紙挿入部は、内周面に第１ねじ山が形成され、第２内紙挿入部は、外周面に第１ねじ山と対応する第２ねじ山が形成されており、第１ねじ山および第２ねじ山間の結合により、第１および第２装着体が結合されることを特徴とする。また、第１および第２内紙挿入部は、第１および第２内紙支持部と接した部位が、第１および第２内紙挿入部側に傾斜するように形成されていることを特徴とする。
【００２１】
第１実施例および第２実施例において、装着体と回転阻止体は互いに対向する面に互いに対応する係止突起を有することを特徴とする。ここで、係止突起は、直三角形状に形成されることを特徴とする。
【００２２】
第１実施例において、支持棒はＵ字状に折曲されており、取付板に固定される折曲した一側は比較的に長く、装着体が挿入される他側は比較的に短く形成されることを特徴とする。
【００２３】
ここで、支持棒は、装着体を支持する部分がその他の部分よりも大きい直径を有することを特徴とする。第３実施例では、装着体において、一側面に複数の係止突起が縁に沿って所定の間隔を有して形成され、回転阻止体において、複数の係止突起が引っかかるように少なくとも１つの係止顎が突出して形成されていることを特徴とする。
【実施例】
【００２４】
以下、添付した図を参照して本発明のトイレットペーパーホルダーについて詳細に説明する。
【００２５】
第１実施例
まず、図１乃至図３を参照して本発明の好適な第１実施例によるトイレットペーパーホルダーについて詳細に説明する。図１は、本発明の好適な実施例によるトイレットペーパーホルダーの概略的な斜視図である。図２及び図３は、図１のトイレットペーパーホルダーの要部の概略的な断面図である。
【００２６】
本実施例によるトイレットペーパーホルダー１００は、装着体１１０、回転阻止体１３０、支持棒１５０及び取付板１７０を有する。
【００２７】
装着体１１０は、ロールタイプのトイレットペーパー１０を固定して設置するためのもので、分離可能に連結されている第１装着体１１０ａと第２装着体１１０ｂとで構成され、中央に長手方向に長く貫通孔１１１が形成されている。
【００２８】
第１装着体１１０ａは、第１内紙支持部１１３ａと第１内紙挿入部１１５ａを含む。
【００２９】
第１内紙支持部１１３ａは、トイレットペーパーの中央にある中空円筒状の内紙１１の一側を密着するように支持する。第１内紙支持部１１３ａは、円板形状を有し、内紙１１を支持するために内紙１１の直径よりやや大きな直径を有する。第１内紙支持部１１３ａは、両面に複数の第１係止突起１１７ａおよび第１内紙挿入部１１５ａを有する。
【００３０】
複数の第１係止突起１１７ａは、第１内紙支持部１１３ａの一側面に円柱に沿って等間隔で形成されている。第１係止突起１１７ａは、図示するように、直三角形になっているが、三角形又は頂点の丸い三角形状に形成することもできる。
【００３１】
第１内紙挿入部１１５ａは、第１内紙支持部１１３ａの他側面から、好ましくは中央から一体に延長される。第１内紙挿入部１１５ａは、第１内紙支持部１１３ａと接した部分が傾斜するように形成される。この傾斜部分１１９ａは、トイレットペーパーの内紙１１の直径が変化する場合、例えば、図３に示すように、内紙１１の直径が第１内紙支持部１１３ａの第１内紙挿入部１１５ａとの接触部分の直径より小さいときに内紙１１を支持するようになる。
【００３２】
第１内紙挿入部１１５ａにおいて、内周面に自由端から所定の距離離れてねじ山１２１ａが形成されている。
【００３３】
第２装着体１１０ｂは、第２内紙支持部１１３ｂと第２内紙挿入部１１５ｂを有する。
【００３４】
第２内紙支持部１１３ｂは、トイレットペーパーの内紙１１の他側を密着するように支持する。第２内紙支持部１１３ｂは、円板形状を有し、内紙１１を支持するために内紙１１の直径よりやや大きな直径を有する。第２内紙支持部１１３ｂは、一側面に第２内紙挿入部１１５ｂが形成される。
【００３５】
第２内紙挿入部１１５ｂは、第２内紙支持部１１３ｂの一側面から、好ましくは中央から一体に延長される。第２内紙挿入部１１５ｂは、第２内紙支持部１１３ｂと接した部分が傾斜するように形成される。この傾斜部分１１９ｂはトイレットペーパーの内紙１１の直径が変化する場合、例えば、図３のように、内紙１１の直径が第２内紙支持部１１３ｂの第２内紙挿入部１１５ｂとの接触部分の直径より小さいときに内紙１１を支持するようになる。
【００３６】
第２内紙挿入部１１５ｂにおいて、外周面に自由端から所定の距離離れてねじ山１１９ｂが形成されている。
【００３７】
第１装着体１１０ａおよび第２装着体１１０ｂは、第１内紙挿入部１１５ａの内周面に形成されたねじ山１１９ａと、第２内紙挿入部１１５ｂの外周面に形成されたねじ山１１９ｂとがねじ結合することによって互いに結合されるようになる。
【００３８】
回転阻止体１３０は、装着体１１０の回転運動を選択的に阻止するためのもので、第１内紙支持部１１３ａと実質的に同じ形態を有する。具体的には、回転阻止体１３０は、第１内紙支持部１１３ａと同じ大きさの円板形状となっており、一側面に、好ましくは、第１係止突起１１７ａが形成された第１装着体１１０ａの第１内紙支持部１１３ａの一側面と対向する側面に第１係止突起１１７ａと対応する第２係止突起１３７ａが円柱に沿って等間隔で形成されている。第２係止突起１３７ａは、図示するように、直三角形になっているか、又は、三角形や頂点の丸い三角形状に形成することができる。
【００３９】
よって、装着体１１０は、回転阻止体１３０から離れると回転可能な構造になり、回転阻止体１３０側に移動して第１係止突起１１７ａと第２係止突起１３７ａとが噛み合うと回転不可能な構造になる。
【００４０】
支持棒１５０は、装着体１１０を回転可能に支持し、回転阻止体１３０を固定して支持するためのものであって、好ましくは、装着体１１０を支持する部分が他の部分より大きい直径を有する。しかし、支持棒１５０の全体直径を一定に形成しても構わない。
【００４１】
支持棒１５０は、略Ｕ字状に折曲されており、折曲された一端は比較的に長く、他の一端は比較的に短く形成される。長い方は取付板１７０に固定して設置され、短い方は自由な状態になる。装着体１１０は、第１装着体１１０ａと第２装着体１１０ｂとが結合した状態で短い方から支持棒１５０に挿入されるか、好ましくは、第１装着体１１０ａを短い方に先に挿入し、第２装着体１１０ｂを後で挿入して互いに結合させる。支持棒１５０は、装着体１１０の円滑な回転運動のために、装着体１１０が挿入される部分の直径が、装着体１１０に形成された貫通孔１１１の内径より比較的に小さく形成されることが好ましい。
【００４２】
回転阻止体１３０は、支持棒１５０に強く挿入された状態で、固定するために接合するか、又は支持棒１５０と一体に形成することができる。
【００４３】
取付板１７０は、支持棒１５０を壁のような固定物に固定して設置するためのもので、ねじ１７１のような締結手段により固定物に固定して設置される。
【００４４】
第２実施例
以下、図４及び図５を参照して本発明の好適な第２実施例によるトイレットペーパーホルダーについて説明する。図４は、本発明の好適な第２実施例によるトイレットペーパーホルダーの概略的な斜視図である。図５は、図４の支持棒の概略的な断面図である。
【００４５】
本実施例によるトイレットペーパーホルダー２００は、装着体２１０、回転阻止体２３０、支持棒２５０及び取付板２７０を有し、これらの機能は上記の説明と同様である。
【００４６】
装着体２１０及び回転阻止体２３０は、第１実施例の装着体１１０及び回転阻止体１３０と実質的に同様であるので詳細な説明は省略する。
【００４７】
支持棒２５０は、図５に示すように、第１支持棒２５１と第２支持棒２５５とが弾性結合されている。
【００４８】
第１支持棒２５１は、一側が密閉され他側が開放された中空の円筒形状を有し、密閉側には第１挿入突起２５２が形成されている。第１支持棒２５１の内側にはスプリング２５３のような弾性体が設けられている。
【００４９】
第２支持棒２５５は、一側に第１支持棒２５１の内側に挿入される挿入部２５６が形成され、他側に第２結合突起２５７が形成される。第２挿入突起２５７は、第１挿入突起２５２と動軸線上に形成されることが好ましい。
【００５０】
挿入部２５６は、第１支持棒２５１に挿入されてスプリング２５３により弾性支持され、このスプリング２５３により支持棒２５０の長さが変わり得る。
【００５１】
取付板２７０は、Ｕ字状となっており、ねじ２７１のような締結手段により固定物に固定して設置される。回転阻止体２３０は、取付板２７０の一側に図示するように固定して設置され、支持棒２５０は、装着体２１０が回転可能に装着された状態で、両側に形成された第１および第２係止突起（２５２、２５７）が回転阻止体２３０と取付板２７０に設けられた挿入溝（２３３、２７３）にそれぞれ挿入されて設置される。
【００５２】
第３実施例
以下、図６を参照して本発明の好適な第３実施例によるトイレットペーパーホルダーについて説明する。図６は、本発明の好適な第３実施例によるトイレットペーパーホルダーの概略的な斜視図である。
【００５３】
本実施例によるトイレットペーパーホルダー３００は、装着体３１０、回転阻止体３３０、支持棒３５０及び取付板３７０を有し、これらの機能は上記の説明と同様である。
【００５４】
装着体３１０は、中央に貫通孔３１１を形成し、トイレットペーパーの内紙に比較的に強く挿入できるだけの直径を有する。装着体３１０の一側には側面の縁に沿って係止突起３１３が所定の間隔を置いて形成されている。
【００５５】
回転阻止体３３０は、支持棒３５０に固定して形成され、装着体３１０に形成された係止突起３１３に引っかかる係止顎３３３が側面に突出して形成されている。
【００５６】
従って、装着体３１０が回転阻止体３３０から離れると回転可能な構造になり、回転阻止体３３０側に移動して係止突起３１３が係止顎３３３に引っかかると回転不可能な構造になる。
【００５７】
支持棒３５０及び取付板３７０は、上記の第１実施例の支持棒１５０及び取付板１７０と実質的に同様であるので詳細な説明は省略する。
【００５８】
図７及び図８を参照して上記のような構成を有する本発明のトイレットペーパーホルダーの作用について説明する。図７及び図８は、図１のトイレットペーパーホルダーの作動状態を例示する概略的な斜視図である。
【００５９】
図７に示すように、トイレットペーパー１０が装着された装着体１１０が回転阻止体１３０と離れている場合、使用者がトイレットペーパー１０の端を引き出すと、トイレットペーパー１０が矢印のように回転して自然にトイレットペーパー１０が繰り出される。
【００６０】
図８に示すように、使用者がトイレットペーパー１０を矢印のように左側に押しながら引き出すと、装着体１１０が回転阻止体１３０側に移動して出会い、装着体１１０の回転が阻止される。この状態でトイレットペーパー１０をさらに勢い良く引っ張り出すと、必要な分量を切り取ることができる。
【産業上の利用可能性】
【００６１】
本発明のトイレットペーパーホルダーは、トイレなどで有用に使用することができ、特に、片手しか使えない使用者にとって有用に使用することができる。
【図１】
2010516378.tif 000003
【図２】
2010516378.tif 000004
【図３】
2010516378.tif 000005
【図４】
2010516378.tif 000006
【図５】
2010516378.tif 000007
【図６】
2010516378.tif 000008
【図７】
2010516378.tif 000009
【図８】
2010516378.tif 000010
【図９】
2010516378.tif 000011
【図１０】
2010516378.tif 000012
【国際調査報告】
2010516378.tif 000013
2010516378.tif 000014